(57)【要約】【課題】まき餌かごを使った魚釣りにおいて、魚を取り逃がすことや釣り糸の絡みを減少させ、かつまき餌で手が汚れず効率の良い釣りができる魚釣り用まき餌かごを提供する。【解決手段】まき餌を収容、放出するカプセル型部位（１）に、カプセル型部位（１）の開閉を容易にするためのレバー（２）とバネ（３）を設け、カプセル型部位（１）にまき餌を放出する孔（４）とカプセル型部位（１）を貫通するように釣り糸やワイヤーを通す孔（５ａ及び５ｂ）を設けた魚釣り用まき餌かごを特徴とする。【選択図】図１
2012080858.tif 000002
【特許請求の範囲】
【請求項１】
まき餌を収容、放出するカプセル型部位（１）に開閉操作を容易にするためのレバー（２）とバネ（３）を設け、カプセル型部位（１）にまき餌を放出する孔（４）とカプセル型部位（１）を貫通するように釣り糸やワイヤーを通せる孔（５ａ及び５ｂ）を設けた魚釣り用まき餌かご。
【発明の詳細な説明】
【技術分野】
【０００１】  この発明は、魚釣りにおいて魚を寄せるためのまき餌を収容し、水中で放出するための、魚釣り用まき餌かごに関するものである。
【背景技術】
【０００２】  魚釣りにおいてまき餌は、魚を寄せて水中の仕掛けに魚がかかりやすくするためのものであり、まき餌かごは、目的の魚をより効率よく釣るために、水中の任意の場所でまき餌を放出するものである。まき餌かごには、樹脂製や金属製のワイヤーを編んで籠状にしたものや、金属や樹脂を両端の閉じた円筒状に成形し、まき餌を放出するための孔を開けたものなどが用いられる。【０００３】  このかごを、道糸とハリスの間に取り付けて使用する。取り付ける時には、かごの上部と下部にあるリング状部位にそれぞれ道糸とハリスを縛り付ける、または、予めかごの上部から下部へ釣り糸や金属ワイヤー等を通し両端によりもどしを取り付け、よりもどしに道糸とハリスを縛り付ける。また、天秤と呼ばれる釣り糸の絡まりを防止する器具を用いて取り付ける。【０００４】  まき餌かごへのまき餌の収容方法は、蓋付きのかごであれば蓋を開け、スプーンなどを用いてまき餌を中に充填し蓋を閉じる。また、円筒状のかごの場合は、二重になっている筒の内側を引き抜き、その中にまき餌を充填し、外側の筒を被せて閉じ収容する方法のものもある。
【発明の概要】
【発明が解決しようとする課題】
【０００５】  しかし、上記のまき餌かごには、次のような欠点があった。
第一に、釣り糸への取り付け方法である。従来の取り付け方法では、かごは釣り糸の一定の場所に固定されてしまう。かごが固定された状態だと、魚が仕掛けに食い付いて引っ張った時にかごも一緒に引っ張る事になり、かご部分にかかる水の抵抗を魚が不自然に感じ食い付いた仕掛けを離してしまう。また、かごに加えウキも釣り糸に取り付けて使うような場合、投入時にウキとかごそれぞれに重心が分かれるために釣り糸同士が絡まりやすくなる。この２点の問題を防止するために有効なのが天秤であるが、天秤を用いた場合仕掛けが複雑になってしまい、知識がないと扱いが難しいものになってしまう。【０００６】  第二に、まき餌の収容方法である。従来のまき餌かごはいずれもまき餌を収容する際両手を使わなくてはならず、手に持っている竿を一旦どこかに置いた上で、まき餌かごにまき餌を収容し、竿を持ち直し仕掛けを投入するという手順を踏まなくてはならない。また、収容時にまき餌で手が汚れてしまう事が避けられないため、においや汚れを気にする人にまき餌かごを使用した釣りは敬遠されがちである。
本発明は、以上のような欠点を解消するためになされたものである。
【課題を解決するための手段】
【０００７】  まき餌を収容するカプセル型部位（１）の外壁にカプセル型部位を開閉操作するレバー（２）を設け、カプセル型部位の開閉を補助するバネ（３）を設ける。カプセル型部位にはまき餌を放出する孔（４）と釣り糸やワイヤーを通す孔（５ａ及び５ｂ）を設ける。【０００８】  カプセル型部位（１）のまき餌を放出する孔（４）と釣り糸やワイヤーを通す孔（５ａ及び５ｂ）は、形状や数を制限しない。カプセル型部位（１）は射出成形部材のようなものや金属を成形したようなものでもよいし、樹脂製や金属製のワイヤーを編んで籠状にしたようなものでもよい。図３で示すように、釣り糸やワイヤーを通す孔５ａ及び５ｂは、釣り糸やワイヤーを５ａと５ｂの間へ通した時に、その釣り糸やワイヤーがカプセル型部位（１）を貫通するように設ける。釣り糸やワイヤーを通しやすいように、カプセル型部位（１）は開口部が広く、５ａと５ｂ間が長くならない形状がよい。【０００９】  バネ（３）は、カプセル型部位の開閉を補助するためのものであればいかなるものでもよい。
本発明は、以上の構成よりなる魚釣り用まき餌かごである。
【発明の効果】
【００１０】  かごをカプセル型にした事とバネにより開閉が容易にできる事で、釣り糸に取り付ける際かごを貫通するように道糸を通すことが容易にでき、予め釣り糸やワイヤーをかごに通しておく必要はなく、道糸との連結によりもどしや連結部を必要としない。かご内部に道糸を貫通させた取り付け方により、かごは釣り糸の一カ所に固定されることなく道糸に沿って遊動するので、魚が仕掛けを引っ張った時にかごに通した道糸のみ引っ張られることになり、魚がかごの抵抗を感じなくなるので仕掛けを離してしまうことがなくなる。なお、ウキも併用して使用する時には、ウキとかごの間によりもどし等の連結部分がなくなる為、投入時にウキとかごが一体となり重心の分離がなくなり、釣り糸同士の絡まりを防止する事ができる。よって、天秤を使う必要もなくなる為、シンプルで誰にでも扱いやすい仕掛けで釣りをすることができる。【００１１】  バネを利用しレバーを操作してかごを開閉する方法としたため、まき餌を収容する際に、かごを開く、まき餌を充填する、かごを閉じるという作業を一度に片手のみで行う事ができる。竿を置く場所を設ける必要がなく、竿を片手に持ったままでもかごにまき餌を素早く収容できるので、仕掛けを投入するまでの時間を短縮でき、より効率の良い釣りが可能となる。また、まき餌収容時に触れるのはかごのレバー部のみでまき餌に手が触れることがないので、手に汚れやにおいが付く心配がなく使用できる。
【図面の簡単な説明】
【００１２】
【図１】  本発明の斜視図である。
【図２】  本発明のカプセル型部位（１）が開いている時の斜視図である。
【図３】  本発明の断面図である。
【発明を実施するための形態】
【００１３】  以下、本発明を実施するための形態について説明する。
まき餌を収容するカプセル型部位（１）は、まき餌を放出する孔（４）と釣り糸やワイヤーを通す孔（５ａまたは５ｂ）を設けた部材を２つ組み合わせたものであり、図２に示すように上下に開閉する。カプセル型部位（１）の外壁に、カプセル型部位を上下に開閉操作するための形状を有するレバー（２）を設ける。片手での開閉操作が容易になるように、レバー部（２）付近にバネ（３）を設ける。
本発明は、以上のような構造である。
【００１４】  これを使用する時には、カプセル型部位（１）の５ａと５ｂの間に釣り糸やワイヤーを通す事で釣り糸に取り付ける。釣り糸に取り付けた時にまき餌かごが必要以上に下方向へ移動しないよう、まき餌かごの下部の釣り糸には、例えばよりもどしやゴム管など、５ａ及び５ｂの孔の直径より大きな構造物を設ける。さらにこの下に、ハリスや針や刺し餌等魚を掛ける仕掛けを設ける。
【００１５】  なお、ウキを併用する場合には、上から順にウキ、まき餌かごと連続して道糸に通して使用するのがよい。
【００１６】  まき餌の収容は、レバー部（２）を持って行う。レバー（２）を操作してカプセル型部位（１）を開け（図２）、カプセル型部位（１）でまき餌をすくい取る、挟み取るなどしてまき餌をカプセル型部位（１）内部に充填し、レバー（２）を操作してカプセル型部位（１）を閉じる。
【００１７】  仕掛けを水中に投入しまき餌かごが目的の深さに到達したら、釣り糸を数回引き、カプセル型部位（１）内部のまき餌を水中に放出する。
【符号の説明】
【００１８】  １            カプセル型部位
２            レバー部
３            バネ
４            まき餌を放出する孔
５ａ及び５ｂ  釣り糸やワイヤーを通す孔
【図１】
2012080858.tif 000003
【図２】
2012080858.tif 000004
【図３】
2012080858.tif 000005